(57)【特許請求の範囲】
【請求項１】
通信ネットワークと、
固有情報を保持する金庫と、
前記金庫の前記固有情報を読取り、前記金庫に装填すべき現金に関する現金情報を生成し、前記金庫に前記現金を装填して前記固有情報及び現金情報を前記通信ネットワークを介して送信する現金装填機と、
前記固有情報及び現金情報の受信に応じて、前記固有情報に対応して前記現金情報を管理する現金管理機と、
前記装填された金庫をセットし、前記セットされた金庫の固有情報を読取り、前記固有情報に基づいて前記通信ネットワークを介して前記現金管理機から前記現金情報を受信して管理する現金自動取引機とを具備する
現金自動取引機一括管理システム。
【請求項２】
請求項１に記載の現金自動取引機一括管理システムにおいて、
前記現金装填機及び現金自動取引機は、前記固有情報を読取る金庫番号読取部を具備する
現金自動取引機一括管理システム。
【請求項３】
請求項１又は２に記載の現金自動取引機一括管理システムにおいて、
前記現金装填機は、
前記金庫に装填すべき前記現金を計数して前記現金情報を生成する現金計数部と、
前記現金情報に応じた前記現金を前記金庫に装填する現金装填部とを具備する
現金自動取引機一括管理システム。
【請求項４】
請求項１乃至３のいずれか一項に記載の現金自動取引機一括管理システムにおいて、
前記現金管理機は、
第１現金管理テーブルと、
前記現金情報が前記固有情報に対応するように前記固有情報と前記現金情報とを前記第１現金管理テーブルに登録して管理する金庫別現金管理部とを具備する
現金自動取引機一括管理システム。
【請求項５】
請求項４に記載の現金自動取引機一括管理システムにおいて、
前記現金自動取引機は、前記固有情報に基づいて前記現金情報を前記金庫別現金管理部に要求し、
前記金庫別現金管理部は、前記現金自動取引機からの要求に応じて前記第１現金管理テーブルに登録されている前記固有情報に対応した前記現金情報を送信する
現金自動取引機一括管理システム。
【請求項６】
請求項１乃至５のいずれか一項に記載の現金自動取引機一括管理システムにおいて、
前記現金自動取引機は、
第２現金管理テーブルと、
前記現金管理機からの前記現金情報の受信に応じて、前記現金情報を前記固有情報に対応して前記第２現金管理テーブルに登録して管理する装填現金記憶管理部とを具備する
現金自動取引機一括管理システム。
【請求項７】
請求項１乃至６のいずれか一項に記載の現金自動取引機一括管理システムにおいて、
前記固有情報は金庫番号である
現金自動取引機一括管理システム。
【発明の詳細な説明】
【０００１】
【発明の属する技術分野】
本発明は、現金自動取引機一括管理システムに関し、特に装填現金計数データを一括管理する現金自動取引機一括管理システムに関する。
【０００２】
【従来の技術】
現金自動取引機（ＡＴＭ：Ａｕｔｏｍａｔｉｃ  Ｔｅｌｌｅｒ  Ｍａｃｈｉｎｅ）内には、現金が装填された金庫がセットされている。また、金庫に装填される現金は、装填現金計数データとして現金自動取引機（ＡＴＭ）内で管理されている。装填現金計数データの管理は、現金自動取引機（ＡＴＭ）内の金庫を入替えるとき、金庫を入替える係員が金庫に現金を装填した係員からの指示に基づき装填現金計数データを現金自動取引機（ＡＴＭ）内の記憶部に記憶させることで行っている。
【０００３】
このような装填現金計数データを現金自動取引機（ＡＴＭ）に管理させるまでの間には、金庫に装填すべき現金を計数する係員と、計数された現金を金庫に装填する係員と、金庫に装填すべき現金の計数によって得られた装填現金計数データを伝える係員と、現金自動取引機（ＡＴＭ）内の金庫を入替える際に伝えられた装填現金計数データを現金自動取引機（ＡＴＭ）内の記憶部に記憶させる係員とが介在する。
【０００４】
現金を管理する現金管理システムの従来技術として、特開平１１−２８３０７５号公報では出納機と現金自動取引装置との間で行われた現金の出納を確実にチェックすることのできる“現金処理システム、出納機、現金取引装置”が開示されている。
【０００５】
この現金処理システムは、現金を保管し各種取引を実行する現金取引装置と、この現金取引装置に対する現金の出納を行う出納機と、この出納機と現金取引装置とを接続し、互いの間で出納される現金の情報を通信する通信網とを具備したことを特徴としている。
【０００６】
また、特開平１０−２４０８３９号公報では貨幣の装填または回収を行う際の人的ミス等の発生を防止することを可能にし、現金精査時の違算追求に多くの手間や時間を費やしてしまうことのない“金融自動化機器の管理システムおよび管理方法”が開示されている。
【０００７】
金融自動化機器の管理システムは、金融自動化機器で自動出金するための貨幣あるいは金融自動化機器に自動入金された貨幣を収納する貨幣収納庫に対し、貨幣の装填または回収を管理するためのものであって、指示手段と、前処理手段と、後処理手段と、演算手段と、出力手段とを備えていることを特徴としている。指示手段は、貨幣収納庫に対する貨幣の装填または回収を行う旨を指示する。前処理手段は、指示手段から指示があると、その時点で貨幣収納庫が収納している貨幣の総額を計数する。後処理手段は、前処理手段による収納額の計数後、貨幣収納庫に対する貨幣または回収が行われると、装填後または回収後に貨幣収納庫が収納している貨幣の総額を計数する。演算手段は、前処理手段による計数結果と後処理手段による計数結果との差を基に、貨幣収納庫に対する装填額または回収額を算出する。出力手段は、演算手段によって算出された装填額または回収額を出力する。
【０００８】
また、特許第２７２６５５０号公報では複数台の自動取引装置と紙幣整理機からなるシステムで、自動取引装置への紙幣の装填、取り出し、紙幣整理機への紙幣の装填、取り出しを行う装填庫を用いて、各機器それぞれの現金残高の管理、及びそれらを総括した管理を行うことができる“現金管理システム”が知られている。
【０００９】
この現金管理システムは、複数の自動取引装置と、現金整理機と、装填庫とを具備している。複数の自動取引装置は現金の入出金を行う。現金整理機は、これら複数の自動取引装置で取り扱われる現金を整理する。装填庫は、各自動取引装置と現金整理機とに装着可能で、各自動取引装置と現金整理機との間の現金のやりとりを行うもので、自動取引装置に装着された際に、その自動取引装置の現金の収納状態を記憶する記憶手段と、現金整理機に装着された際に、記憶手段に記憶されている自動取引装置の現金の収納状態を現金整理機に出力する出力手段とを有している。現金整理機には、装填庫から出力された自動取引装置の現金の収納状態に基づいて各自動取引装置の現金残高を集計する手段を具備したことを特徴としている。
【００１０】
また、特開平４−１３７０９３号公報ではたとえば銀行等の現金つまり紙幣の入出金を管理する機器が複数台設置されており、各機器における紙幣及びその情報を総括的に管理できる“現金管理装置”が開示されている。
【００１１】
この現金管理装置は、現金の入出金を行う複数の自動取引装置と自動取引装置で取扱う現金を整理する現金整理機とからなり、金庫と、記憶手段と、集計を行う手段とを具備したことを特徴としている。金庫は、自動取引装置および現金整理機に装着可能で内部に収納した現金を自動取引装置と現金整理機との間で受け渡しを行う。記憶手段は、金庫に設けられ装着された自動取引装置の識別情報および現金の有高を各自動取引装置毎に記憶する。集計を行う手段は、現金整理機に金庫が装着された際記憶手段に記憶されている各自動取引装置の識別情報および現金の有高に基づき集計を行う。
【００１２】
また、特開昭５８−７６９９０号公報では現金を収納しているカセット・ボックスにボックス・ナンバを附与して、ボックス単位毎に現金の出納を管理できるようにする“現金管理処理システム”が開示されている。
【００１３】
この現金管理処理システムは、複数の現金取扱い装置と、現金収納カセット・ボックスとを有する。複数の現金取扱い装置は、現金を装置内に取込む機構もしくは現金を装置内から放出する機構を有する。現金収納カセット・ボックスは、各現金取扱い装置に装填されるよう構成されて各現金取扱い装置によって取込まれた現金もしくは現金取扱い装置によって放出される現金を収容する。現金管理処理システムは、現金取扱い装置によって取込まれもしくは放出された現金についてのデータを管理するものであって、入力する手段と、出力する手段と、記憶手段とを備えている。入力する手段は、各現金取扱い装置に装填される現金収納カセット・ボックスを区別する識別コードを入力する。出力する手段は、現金収納カセット・ボックスに対して現金取扱い装置が投入もしくは取出した現金の枚数又は金額についてのデータを出力する。記憶手段は、出力手段から出力される現金の枚数又は金額についてのデータをもとに現金収納カセット・ボックスに存在する現金の枚数又は金額を記憶する。現金管理処理システムは、現金取扱い装置によって取扱われる現金についてのデータを現金収納カセット・ボックスに対応させて管理することを特徴としている。
【００１４】
【発明が解決しようとする課題】
従来の現金管理システムでは、現金を計数する際の計数ミス、現金を金庫に装填する際の装填ミス、装填現金計数データを伝える際の伝達ミス、伝えられた装填現金計数データを現金自動取引機（ＡＴＭ）内の記憶部に記憶させるときの操作ミスで例示される人的ミスの入る要素が非常に多く存在することになる。そのため、金庫に装填すべき現金を計数してから装填現金計数データを現金自動取引機（ＡＴＭ）に管理するまでのそれぞれの作業においては、ある程度、経験を有する者が担当する必要があった。
【００１５】
本発明の目的は、人的ミスをなくすことができる現金自動取引機一括管理システムを提供することにある。
【００１６】
本発明の他の目的は、装填現金計数データを現金自動取引機に管理するまでの作業において人的ミスをなくすことができる現金自動取引機一括管理システムを提供することにある。
【００１７】
本発明の更に他の目的は、経験が浅い係員でもミスのない作業を行うことができる現金自動取引機一括管理システムを提供することにある。
【００１８】
本発明の更に他の目的は、現金の精査処理や金庫輸送中の現金管理処理を容易に行うことができる現金自動取引機一括管理システムを提供することにある。
【００１９】
【課題を解決するための手段】
その課題を解決するための手段が、下記のように表現される。その表現中の請求項対応の技術的事項には、括弧（）付きで、番号、記号等が添記されている。その番号、記号等は、本発明の実施の複数・形態又は複数の実施例のうちの少なくとも１つの実施の形態又は複数の実施例を構成する技術的事項、特に、その実施の形態又は実施例に対応する図面に表現されている技術的事項に付せられている参照番号、参照記号等に一致している。このような参照番号、参照記号は、請求項記載の技術的事項と実施の形態又は実施例の技術的事項との対応・橋渡しを明白にしている。このような対応・橋渡しは、請求項記載の技術的事項が実施の形態又は実施例の技術的事項に限定されて解釈することを意味しない。
【００２０】
本発明の現金自動取引機一括管理システムは、通信ネットワーク（５０）と、金庫（１０）と、現金装填機（２０）と、現金管理機（３０）と、現金自動取引機（４０）とを具備する。金庫（１０）は固有情報を保持する。現金装填機（２０）は、金庫（１０）の固有情報を読取り、金庫（１０）に装填すべき現金に関する現金情報を生成し、金庫（１０）に現金を装填して固有情報及び現金情報を通信ネットワーク（５０）を介して送信する。現金管理機（３０）は、固有情報及び現金情報の受信に応じて、固有情報に対応して現金情報を管理する。現金自動取引機（４０）は、装填された金庫（１０）をセットし、セットされた金庫（１０）の固有情報を読取り、固有情報に基づいて通信ネットワーク（５０）を介して現金管理機（３０）から現金情報を受信して管理する。
【００２１】
現金装填機（２０）及び現金自動取引機（４０）は、固有情報を読取る金庫番号読取部（２２、４２）を具備する。
【００２２】
現金装填機（２０）は、金庫（１０）に装填すべき現金を計数して現金情報を生成する現金計数部（２３）と、現金情報に応じた現金を金庫（１０）に装填する現金装填部（２５）とを具備する。
【００２３】
現金管理機（３０）は、第１現金管理テーブル（３４）と、金庫別現金管理部（３３）とを具備する。金庫別現金管理部（３３）は、現金情報が固有情報に対応するように固有情報と現金情報とを第１現金管理テーブル（３４）に登録して管理する。
【００２４】
現金自動取引機（４０）は、固有情報に基づいて現金情報を金庫別現金管理部（３３）に要求する。金庫別現金管理部（３３）は、現金自動取引機（４０）からの要求に応じて第１現金管理テーブル（３４）に登録されている固有情報に対応した現金情報を送信する。
【００２５】
現金自動取引機（４０）は、第２現金管理テーブル（４４）と、装填現金記憶管理部（４３）とを具備する。装填現金記憶管理部（４３）は、現金管理機（３０）からの現金情報の受信に応じて、現金情報を固有情報に対応して第２現金管理テーブル（４４）に登録して管理する。
【００２６】
固有情報は金庫番号（１１）である。現金情報は実施の形態の装填現金計数データである。
【００２７】
【発明の実施の形態】
添付図面を参照して、本発明による現金自動取引機一括管理システムの実施の形態を以下に説明する。
【００２８】
図１は、本発明の現金自動取引機一括管理システムの構成を示すブロック図である。図２は、本発明の現金自動取引機一括管理システムにおける現金装填機の構成を示すブロック図である。図３は、本発明の現金自動取引機一括管理システムにおける現金管理機の構成を示すブロック図である。図４は、本発明の現金自動取引機一括管理システムにおける現金自動取引機（ＡＴＭ）の構成を示すブロック図である。
【００２９】
図１に示されるように、本発明の現金自動取引機一括管理システムは、金庫１０と、現金装填機２０と、現金管理機３０と、現金自動取引機（ＡＴＭ）４０と、インターネットを含む通信ネットワーク５０とを備えている。現金装填機２０、現金管理機３０、現金自動取引機（ＡＴＭ）４０は通信ネットワーク５０を介して相互に接続される。
【００３０】
金庫１０は、現金装填機２０によって内部に現金が装填される。また、金庫１０は、現金が装填された後、現金自動取引機（ＡＴＭ）４０にセットされる。また、金庫１０は、固有情報としてＩＤで例示される金庫番号１１を保持している。
【００３１】
現金装填機２０は、金庫１０の金庫番号１１を読取り、金庫１０に装填すべき現金に関する装填現金計数データを生成し、金庫１０に対して自動的に現金を装填して金庫番号１１及び装填現金計数データを通信ネットワーク５０を介して送信する。この現金装填機２０は、図２に示すように、制御部２１、金庫番号読取部２２、現金計数部２３、メモリ部２４、現金装填部２５、データ通信部２６を備えている。
【００３２】
制御部２１は、所定の制御プログラムに従い、各部の動作を制御する。金庫番号読取部２２は、現金装填機２０に金庫１０が装填されると、金庫１０の金庫番号１１を読取る。現金計数部２３は、金庫１０に装填すべき現金を計数して装填現金計数データを生成する。メモリ部２４は、金庫番号読取部２２によって読取られた金庫番号１１と現金計数部２３からの現金を計数して得られる現金情報である装填現金計数データとを記憶する。現金装填部２５は、現金計数部２３によって得られた装填現金計数データに基づき、金庫１０に現金を自動的に装填する。データ通信部２６は、通信ネットワーク５０を介して現金管理機３０にメモリ部２４に記憶されている金庫番号１１と装填現金計数データとを送信する。
【００３３】
現金管理機３０は、現金装填部２５からの金庫番号１１及び装填現金計数データの受信に応じて、金庫番号１１に対応して装填現金計数データを管理する。この現金管理機３０は、図３示すように、制御部３１、データ通信部３２、金庫別現金管理部３３、現金管理テーブル３４、データ通信部３５を備えている。
【００３４】
制御部３１は、所定の制御プログラムに従い、各部の動作を制御する。データ通信部３２は、通信ネットワーク５０を介して現金装填機２０とのデータの授受を行う。金庫別現金管理部３３は、装填現金計数データが金庫番号１１に対応するように金庫番号１１と装填現金計数データとを現金管理テーブル３４に登録して管理する。また、現金自動取引機４０が金庫番号１１に基づいて装填現金計数データを金庫別現金管理部３３に要求したとき、金庫別現金管理部３３は、現金自動取引機（ＡＴＭ）４０からの要求に応じて現金管理テーブル３４に登録されている金庫番号１１に対応した装填現金計数データを現金管理テーブル３４から読出し、データ通信部３５を介して現金自動取引機（ＡＴＭ）４０に送信する。現金管理テーブル３４は、金庫番号１１毎に装填現金計数データが対応させて登録される。データ通信部３５は、通信ネットワーク５０を介して現金自動取引機（ＡＴＭ）４０とのデータの授受を行う。このデータ通信部３５は、現金自動取引機（ＡＴＭ）４０にて読取られた金庫番号１１を受取ると、現金管理テーブル３４に登録されている金庫番号１１に対応した装填現金計数データを現金自動取引機（ＡＴＭ）４０に送信する。
【００３５】
現金自動取引機４０は、現金が装填された金庫１０をセットし、セットされた金庫１０の金庫番号１１を読取り、金庫番号１１に基づいて通信ネットワーク５０を介して現金管理機３０から装填現金計数データを受信して管理する。この現金自動取引機（ＡＴＭ）４０は、図４に示すように、制御部４１、金庫番号読取部４２、装填現金記憶管理部４３、現金管理テーブル４４、データ通信部４５を備えている。
【００３６】
制御部４１は、所定の制御プログラムに従い、各部の動作を制御する。金庫番号読取部４２は、現金自動取引機（ＡＴＭ）４０にセットされた金庫１０の金庫番号１１を読取る。また、制御部４１は、金庫番号読取部４２によって金庫１０の金庫番号１１が読取られると、データ通信部４５から読取られた金庫番号１１を現金管理機３０に送信する。装填現金記憶管理部４３は、現金管理機３０からの金庫番号１１に対応した装填現金計数データの受信に応じて、装填現金計数データが金庫番号１１に対応するように金庫番号１１と装填現金計数データとを現金管理テーブル４４に登録して管理する。現金管理テーブル４４は、金庫番号１１毎に現金管理機３０からの装填現金計数データが対応させて登録される。データ通信部４５は、通信ネットワーク５０を介して金庫番号１１の送信と、金庫番号１１に対応した装填現金計数データの受信とを行う。
【００３７】
次に、前述した現金自動取引機一括管理システムにおける一括管理の流れについて図５を参照しながら説明する。図５は、本発明の現金自動取引機一括管理システムにおける一括管理の流れを示すフローチャート図である。
【００３８】
図５に示されるように、まず、現金装填機２０では、現金装填機２０に金庫１０を装填すると（ステップ５０１）、現金装填機２０の金庫番号読取部２２により、装填された金庫１０の金庫番号１１が読取られる（ステップ５０２）。この読取られた金庫番号１１は、現金装填機２０のメモリ部２４に記憶される（ステップ５０３）。金庫番号１１が記憶されると、金庫番号１１が読取られた金庫１０へ装填すべき現金が現金装填機２０のの金計数部２３により計数され（ステップ５０４）、その計数された装填現金計数データは読取られた金庫番号１１に対応させてメモリ部２４に記憶される（ステップ５０５）。装填現金計数データの記憶を終えると、現金装填機２０の現金装填部２５により、装填現金計数データに応じた現金が金庫１０に自動で装填される（ステップ５０６）。
【００３９】
以上のような手順により、金庫１０の金庫番号１１が読取られ、金庫１０へ装填すべき現金が計数されて自動的に装填され、さらに読取られた金庫番号１１に対応させてメモリ部２４に金庫番号１１と装填現金計数データとが記憶される。
【００４０】
次に、金庫１０への現金の装填及びメモリ部２４への記憶が完了すると、現金装填機２０の制御部２１の制御により、現金装填機２０のデータ通信部２６から通信ネットワーク５０を介してメモリ部２４の金庫番号１１と金庫番号１１に対応させた装填現金計数データとが現金管理機３０に送信される（ステップ５０７）。制御部２１は、メモリ部２４の金庫番号１１と金庫番号１１に対応させた装填現金計数データとが現金管理機３０に送信されるようにデータ通信部２６を制御する。
【００４１】
次いで、現金管理機３０では、現金管理機３０のデータ通信部３２により、金庫１０の金庫番号１１と金庫番号１１に対応させた装填現金計数データとを受信すると（ステップ５０８）、現金管理機３０の金庫別現金管理部３３により、現金管理機３０の現金管理テーブル３４に金庫番号１１に対応させて装填現金計数データが登録される（ステップ５０９）。
【００４２】
一方、現金装填機２０によって現金が装填された金庫１０が現金自動取引機（ＡＴＭ）４０に搬送された後にセットされると（ステップ５１０）、金庫番号読取部４２により現金自動取引機（ＡＴＭ）４０にセットされた金庫１０の金庫番号１１が読取られる（ステップ５１１）。金庫番号１１が読取られると、現金自動取引機（ＡＴＭ）４０の制御部４１による制御により、読取られた金庫番号１１が現金自動取引機（ＡＴＭ）４０のデータ通信部４５から現金管理機３０に送信される（ステップ５１２）。制御部４１は、読取られた金庫番号１１が現金管理機３０に送信されるようにデータ通信部４５を制御する。
【００４３】
現金管理機３０では、その金庫番号１１を現金管理機３０のデータ通信部３５を介して受取ると（ステップ５１３）、現金管理機３０の金庫別現金管理部３３により、現金自動取引機（ＡＴＭ）４０からの金庫番号１１に対応する装填現金計数データが現金管理機３０の現金管理テーブル３４から読出され、データ通信部３５を介して現金自動取引機（ＡＴＭ）４０に送信される（ステップ５１４）。
【００４４】
現金自動取引機（ＡＴＭ）４０では、現金自動取引機（ＡＴＭ）４０のデータ通信部４５を介して現金管理機３０からの装填現金計数データを受取ると（ステップ５１５）、現金自動取引機（ＡＴＭ）４０の装填現金記憶管理部４３により、現金自動取引機（ＡＴＭ）４０の現金管理テーブル４４に金庫番号１１に対応させて装填現金計数データが登録される（ステップ５１６）。
【００４５】
このように、本発明の現金自動取引機一括管理システムでは、現金装填機２０により金庫１０に装填現金計数データに応じた現金を自動で装填し、その装填現金計数データと金庫１０の金庫番号１１とを現金管理機３０に送信し、現金自動取引機（ＡＴＭ）４０より金庫１０の金庫番号１１が現金管理機３０に送信されると、現金管理機３０で管理している金庫番号１１に対応した装填現金計数データが現金自動取引機（ＡＴＭ）４０に送信され、現金自動取引機（ＡＴＭ）４０では、金庫番号１１に対応させて装填現金計数データが登録されるため、装填現金計数データを現金自動取引機（ＡＴＭ）４０に管理するまでの作業を機械的に行うことができ、装填現金計数データの授受を通信ネットワーク５０を介して行うことができる。
【００４６】
従って、本発明の現金自動取引機一括管理システムは、装填現金計数データを現金自動取引機（ＡＴＭ）に管理するまでの作業が機械的に行われ、また装填現金計数データの授受が通信ネットワーク５０を介して行われるため、従来のような現金を計数する際の計数ミス、現金を金庫に装填する際の装填ミス、装填現金計数データを伝える際の伝達ミス、伝えられた装填現金計数データを現金自動取引機（ＡＴＭ）内の記憶部に記憶させるときの操作ミス等の人的ミスをなくすことができる。
【００４７】
また、装填現金計数データの現金自動取引機（ＡＴＭ）への管理は、機械的に行われ、通信ネットワーク５０を介してのデータの授受によって行われるため、上述した人的ミスが全く介在しないことから、本発明の現金自動取引機一括管理システムは、それぞれの持場における作業において経験が浅い係員でもミスのない作業を行うことができる。
【００４８】
また、装填現金計数データは、現金管理機３０の現金管理テーブル３４への登録によって集中管理されることになることから、本発明の現金自動取引機一括管理システムは、現金の精査処理や金庫輸送中の現金管理処理も現金管理テーブル３４のデータを読出すことで、容易かつ確実に行うことができる。
【００４９】
なお、本発明の現金自動取引機一括管理システムでは、現金装填機２０により、金庫１０の装填現金計数データに応じた現金を自動で装填する場合について説明したが、本発明の現金自動取引機一括管理システムの第２実施形態として、何らかの原因により、装填現金計数データに応じた現金の自動装填が行われない状況のときは、手作業により、金庫１０に現金を装填した後、たとえば図６に示すような装填情報入力機６０を用いて金庫番号１１や装填現金計数データを現金管理機３０に送信することもできる。
【００５０】
この場合、図７に示すように、入力受付部６２が装填情報入力機６０のキーボードで例示される手動入力部６１からの金庫番号１１や装填現金計数データを受付けると、制御部６３の制御により、データ通信部６４から図６に示された通信ネットワーク５０を介して現金管理機３０に金庫番号１１や装填現金計数データが送信される。制御部６３は、現金管理機３０に金庫番号１１や装填現金計数データが送信されるようにデータ通信部６４を制御する。これにより、上記同様に、装填現金計数データが現金管理機３０の現金管理テーブル３４に金庫番号１１に対応させて登録されるため、装填現金計数データの管理を行うことができる。
【００５１】
なお、本発明の現金自動取引機一括管理システムでは、金庫１０の金庫番号１１はＩＤとした場合について説明したが、この上記の例に限らず、バーコード、２次元コードでもよい。
【００５２】
【発明の効果】
以上の説明により、本発明の現金自動取引機一括管理システムによれば、人的ミスをなくすことができる。
【００５３】
また、本発明の現金自動取引機一括管理システムによれば、装填現金計数データを現金自動取引機に管理するまでの作業が機械的に行われ、また装填現金計数データの授受が通信ネットワークを介して行われるため、装填現金計数データを現金自動取引機に管理するまでの作業において人的ミスをなくすことができる。
【００５４】
また、本発明の現金自動取引機一括管理システムによれば、装填現金計数データを現金自動取引機に管理するまでの作業における人的ミスが介在しないため、それぞれの持場における作業において経験が浅い係員でもミスのない作業を行うことができる。
【００５５】
また、本発明の現金自動取引機一括管理システムによれば、現金管理機の現金管理テーブルから装填現金計数データが読出されるため、現金の精査処理や金庫輸送中の現金管理処理を容易に行うことができる。
【図面の簡単な説明】
【図１】図１は、本発明の現金自動取引機一括管理システムの構成を示すブロック図である。
【図２】図２は、本発明の現金自動取引機一括管理システムにおける現金装填機の構成を示すブロック図である。
【図３】図３は、本発明の現金自動取引機一括管理システムにおける現金管理機の構成を示すブロック図である。
【図４】図４は、本発明の現金自動取引機一括管理システムにおける現金自動取引機（ＡＴＭ）の構成を示すブロック図である。
【図５】図５は、本発明の現金自動取引機一括管理システムにおける一括管理の流れを示すフローチャート図である。
【図６】図６は、本発明の現金自動取引機一括管理システムの他の実施形態の構成を示すブロック図である。
【図７】図７は、本発明の現金自動取引機一括管理システムの他の実施形態における装填情報入力機の構成を示すブロック図である。
【符号の説明】
１０    金庫
１１    金庫番号
２０    現金装填機
２１    制御部
２２    金庫番号読取部
２３    現金計数部
２４    メモリ部
２５    現金装填部
２６    データ通信部
３０    現金管理機
３１    制御部
３２    データ通信部
３３    金庫別現金管理部
３４    現金管理テーブル
３５    データ通信部
４０    現金自動取引機
４１    制御部
４２    金庫番号読取部
４３    装填現金記憶管理部
４４    現金管理テーブル
４５    データ通信部
５０    通信ネットワーク
【図１】
0003702947.tif 000002
【図２】
0003702947.tif 000003
【図３】
0003702947.tif 000004
【図４】
0003702947.tif 000005
【図５】
0003702947.tif 000006
【図６】
0003702947.tif 000007
【図７】
0003702947.tif 000008